(57)【要約】  各ギア・アクチュエータ（１〜４）が２つのアクチュエーション室（１Ａ、Ｂ；２Ａ、Ｂ；３Ａ、Ｂ；４Ａ、Ｂ）間に配置された可動ピストン（１’、２’、３’、４’）を有し、トランスミッション（１Ｔ〜４Ｔ）の２個のギア（１−Ｎ−３；７−Ｎ−５；４−Ｎ−Ｒ；６−Ｎ−２）ごとに１個設けられたギア・アクチュエータ（１、２、３、４）と、アクチュエータ・バルブ手段（５）と、アクチュエータ・バルブ手段（５）と連動して、ギア・アクチュエータ（１〜４）の前記ピストン（１’〜４’）の作動を制御する切り換えバルブ手段（６）と、を具備するギア作動制御装置（１００）。ここで、アクチュエータ・バルブ手段（５）は、ギア・アクチュエータ（１〜４）の数に少なくとも等しい数のアクチュエータ・バルブ（７〜１０）を具備する。
2008542649.tif 000002
【特許請求の範囲】
【請求項１】
各ギア・アクチュエータ（１〜４）が２つのアクチュエーション室（１Ａ、Ｂ；２Ａ、Ｂ；３Ａ、Ｂ；４Ａ、Ｂ）の間に配置された可動ピストン（１’、２’、３’、４’）を有し、トランスミッション（１Ｔ〜４Ｔ）の２個のギア（１−Ｎ−３；７−Ｎ−５；４−Ｎ−Ｒ；６−Ｎ−２）ごとに１個設けられたギア・アクチュエータ（１、２、３、４）と、
アクチュエータ・バルブ手段（５）と、
アクチュエータ・バルブ手段（５）と連動して、ギア・アクチュエータ（１〜４）の前記ピストン（１’〜４’）の作動を制御する切り換えバルブ手段（６）と、を具備し、
前記アクチュエータ・バルブ手段（５）は、前記ギア・アクチュエータ（１〜４）の数と少なくとも等しい数のアクチュエータ・バルブ（７〜１０）を具備することを特徴とする、ギア作動制御装置（１００）。
【請求項２】
アクチュエータ・バルブ（７〜１０）の数が４個であることを特徴とする、請求項１記載のギア作動制御装置。
【請求項３】
アクチュエータ・バルブ（７〜１０）は、比例減圧バルブの形態をとることを特徴とする、請求項１または請求項２記載のギア作動制御装置。
【請求項４】
位置センサー（２０〜２３）が各ギア・アクチュエータ（１〜４）に連結されることを特徴とする、請求項１から請求項３のいずれかに記載のギア作動制御装置。
【請求項５】
切り換えバルブ手段（６）は、アクチュエータ・バルブ手段（５）とギア・アクチュエータ（１〜４）の間に流体経路上に置かれている、１６／２方向切換弁であることを特徴とする、請求項１から請求項４のいずれかに記載のギア作動制御装置。
【請求項６】
アクチュエータ・バルブ手段（５）は、油圧源（１９）と切り換えバルブ手段（６）の間に流体経路上に置かれる、請求項１から請求項５のいずれかに記載のギア作動制御装置。
【請求項７】
ピストン（１’〜４’）の位置を特定するために、位置センサーと協調して働く磁石（２５）が各ピストン（１’〜４’）に取り付けられていることを特徴とする、請求項１から請求項５のいずれかに記載のギア作動制御装置。
【請求項８】
アクチュエータ・バルブ（７〜１０）の数がギア・アクチュエータ（１〜４）の数の２倍であることを特徴とする、請求項１から請求項７のいずれかに記載のギア作動制御装置。
【発明の詳細な説明】
【技術分野】
【０００１】
本発明は、請求項１の前提部分に記載したギア作動制御装置に関わる。
【背景技術】
【０００２】
既知の一般的なギア作動制御装置は、シフト時の応答時間が比較的遅いという欠点がある。
【発明の開示】
【発明が解決しようとする課題】
【０００３】
したがって、本発明の根本にある目的は、改良された操作特性を有する、請求項１の前提部分に記載したギア作動制御装置を提供することである。
【課題を解決するための手段】
【０００４】
この目的の解決策は、請求項１の特徴によって達成される。
【０００５】
したがって、アクチュエータ・バルブ手段は、ギア・アクチュエータの数と同じ数のアクチュエータ・バルブからなる。これは、反応時間がより速くなるという利点を生む。さらに、各アクチュエータの二つの圧力室が操作及び／または制御可能である。これは、シフト操作を完了できない場合に迅速な応答が可能であるという利点をもたらす。このような場合には、加圧されたギア・アクチュエータのもう一方の圧力室を働かせることができ、その後、シフト操作を繰り返すことができる。これは、トランスミッションのギアの損傷を避けられるというさらなる利点をもたらす。
【０００６】
従属請求項は、本発明の有利な実施形態を含む。
【０００７】
具体的には、ギア・アクチュエータ（好ましくは、本出願の原理によるダブル・アクティブ・シリンダー）の圧力室内のピストンの位置を検出する、好ましくは全体のシステムに組み込まれた、位置センサーを提供することが可能である。これにより検出されたピストンの位置は、シフト操作が完全に完了されたか否かを示す。
【０００８】
好ましくは、アクチュエータ・バルブ手段のアクチュエータ・バルブは、比例減圧バルブの形態をとる。
【０００９】
切り換えバルブ手段は、好ましくは、アクチュエータ・バルブ手段とギア・アクチュエータの間に流体経路上に置かれる、１６／２方向切換弁からなる。 
【００１０】
切り換えバルブ手段は、様々なやり方で制御可能であるが、好ましくは、適当な油圧作動バルブによって流体を介して制御することができる。
【００１１】
具体的には、本発明によれば、各ギア・アクチュエータの両側での圧力／力を同時に制御することが可能である。この場合には、ギア・アクチュエータ当り２個のアクチュエータ・バルブが必要である。切り換えバルブ手段または変速レバーを１つの位置にした状態で、すべての奇数のギアまたは偶数のギアをそれぞれ制御することが可能である。したがって、ギア・アクチュエータのすべてを同時に制御するためには、ギア・アクチュエータの数（ここに示す例では４個のギア・アクチュエータ）の２倍の数のアクチュエータ・バルブ（例えば、８個のアクチュエータ・バルブ）が必要である。
【発明を実施するための最良の形態】
【００１２】
本出願のさらなる特徴と利点は、図面についての以下の説明から明らかになるであろう。
【００１３】
図面の図１は、本出願の原理によるギア作動（駆動）制御装置１００の図式化した概略ブロック図である。
【００１４】
見い出された好ましい実施形態によれば、制御装置１００は、各々が２個のギアごとに設けられた、４個のギア・アクチュエータ１、２、３、４を具備する。つまり、図１に示したように、ギア・アクチュエータ１はシフト位置１−Ｎ−３に対応し、ギア・アクチュエータ２はシフト位置７−Ｎ−５に対応し、ギア・アクチュエータ３はシフト位置４−Ｎ−Ｒに対応し、ギア・アクチュエータ４はシフト位置６−Ｎ−２に対応する。
【００１５】
作動対象のトランスミッションは、ギア・アクチュエータ１、２、３、及び４にそれぞれ連結した４個のシフト・フォーク１Ｔ〜４Ｔで構成される。
【００１６】
図１のブロックから詳細に見てとれるように、各ギア・アクチュエータは、好ましくは、圧力（アクチュエータ）室１Ａ、１Ｂ間、２Ａ、２Ｂ間、３Ａ、３Ｂ間及び４Ａ、４Ｂ間にそれぞれ配置された可動ピストン１’、２’、３’及び４’を各々有するダブル・アクティブ・シリンダーを具備する。
【００１７】
さらに、各ギア・アクチュエータ１、２、３、及び４にそれぞれ連結された位置センサー２０〜２３が存在する。
【００１８】
前述の装置構成は、切り換えバルブ手段６と連動するアクチュエータ・バルブ手段５によって作動される。上記にあげた構成要素の全体の装置構成は、次に、図面上簡略に示した圧力源１９に接続される。
【００１９】
切り換えバルブ手段６は、好ましくは、油圧作動バルブ２４によって作動され、好適な実施形態によれば、１６／２方向切換弁からなる。
【００２０】
さらに、アクチュエータ室２Ａと２Ｂにそれぞれ通じている圧力ライン１１と１２がある。圧力ライン１３と１４は、アクチュエータ室４Ａと４Ｂにそれぞれ通じている。圧力ライン１５と１６は、アクチュエータ室１Ａと１Ｂにそれぞれ通じている。最後に、圧力ライン１８と１７は、ギア・アクチュエータ３のアクチュエータ室３Ａと３Ｂにそれぞれ通じている。
【００２１】
完全を期すために及び開示のために、図面に明瞭に示したように、ギア・アクチュエータ制御装置１００の概略図はこれに明示的に触れている。
【００２２】
本出願の原理によれば、短い応答時間が達成できるように、各ギア・アクチュエータ１、２、３、及び４の両方のアクチュエータ室を、切り換えバルブ手段６とそれぞれ連結した４個のアクチュエータ・バルブ７、８、９及び１０によってそれぞれ作動することができ、シフト操作を失敗した場合に、各ギア・アクチュエータのもう一方のアクチュエータ室をすぐに作動することができる。
【００２３】
図２は、ピストン１’〜４’の好ましい実施形態の断面図を示す。
【００２４】
この実施形態は、円周方向に延びる溝２９が設けられているボス２７を含む。油圧ピストン・シール２６が、溝２９内に配置される。
【００２５】
さらに、ボス２７は、その中に円形の磁石２５が置かれたくぼみ２８を含む。この磁石２５は、溝２８の底と壁に固定される。したがって、磁界が、ピストン１’、２’、３’及び４’のそれぞれの周りに発生される。ピストンが可動するのに伴って、磁界も移動する。
【００２６】
ピストンは、磁界位置を発生できるように、ギアまたはトランスミッション１Ｔ〜４Ｔに取り付けられる。図２には示さないが、適当な位置センサー、特にＰＬＣＤ型のセンサーが、こうしてその下を通過する磁界の位置を検出することができる。センサーは、その感知領域内の磁界の位置に応じた電気信号を発生できる。ピストンの周囲の磁界と結び付いた、電気信号に基づいたギア位置の知識が取得できる。
【図面の簡単な説明】
【００２７】
【図１】ギア作動制御装置の図式化した概略ブロック図
【図２】本発明による特有なピストン装置の断面図
【符号の説明】
【００２８】
１、２、３、４  ギア・アクチュエータ
１Ｔ、２Ｔ、３Ｔ、４Ｔ  トランスミッション（４個のフォークが当該トランスミッションを構成する）
１’、２’、３’、４’  ピストン
１Ａ、１Ｂ、２Ａ、２Ｂ、３Ａ、３Ｂ、４Ａ、４Ｂ  アクチュエータ （圧力）室
５  アクチュエータ・バルブ手段
６  切り換えバルブ手段
７、８、９、１０  アクチュエータ・バルブ
１１、１２、１３、１４、１５、１６、１７、１８  圧力ライン
１９  圧力源
２０、２１、２２、２３  位置センサー
２４  油圧作動バルブ
２５  磁石
２６  油圧ピストン・シール
２７  ボス
２８  くぼみ
２９  溝
１００  ギア・アクチュエータ制御装置
【図１】
2008542649.tif 000003
【図２】
2008542649.tif 000004
【国際調査報告】
2008542649.tif 000005
2008542649.tif 000006
2008542649.tif 000007